(57)【要約】微細複製シェービング要素において、基材は基材によって画成された表面から外方へ突出する複数の微細シェービング要素を含む。各微細シェービング要素は表面から離された刃先を画成し、複数のガード要素が基材に取り付けられ、基材から外方へ延在する。各ガード要素は、好ましくは、少なくとも一つの微細シェービング要素に隣接して位置決めされ、シェービング動作中に使用者の皮膚を拘束する非平面状遠心端を含む。
2005537829.tif 000002
【特許請求の範囲】
【請求項１】
基材と、
基材によって画成された表面から外方へ突出し、それぞれが前記表面から離された刃先を画成する複数の微細シェービング要素と、
前記基材に取り付けられ前記基材から外方へ延び、それぞれが少なくとも一つの前記微細シェービング要素に隣接して位置決めされ、それぞれがシェービング動作中に使用者の皮膚を拘束する非平面状遠心端を有する複数のガード要素と、
を具備した微細複製シェービング要素。
【請求項２】
前記ガード素子のそれぞれがほぼ円筒型であり、各非平面状遠心端が弓形である、請求項１記載の微細複製シェービング要素。
【請求項３】
微細シェービング要素が繰り返しパターンで基材表面に位置決めされる、請求項２記載の微細複製シェービング要素。
【請求項４】
前記複数のガード素子が前記シェービング要素間に画成された隙間に位置決めされる、請求項１記載の微細複製シェービング要素。
【請求項５】
前記微細シェービング要素のそれぞれによって画成された前記刃先と前記遠心、請求項１記載の微細複製シェービング要素。
【請求項６】
少なくとも一つの前記ガード要素の前記遠心端がシェービング補助部を含む、請求項１記載の微細複製シェービング要素。
【請求項７】
少なくとも一つの前記ガード要素の前記遠心端がその中にアパーチャを画成し、アパーチャがシェービング動作中にアパーチャから施与され得る多量のシェービング補助部を収容するため適合する、請求項１記載の微細複製シェービング要素。
【請求項８】
前記遠心端の一部分が前記遠心端の残りの部分とは異なる形状を画成する、請求項１記載の微細複製シェービング要素。
【請求項９】
前記基材が前記基材を通り抜けて延在する少なくとも一つのアパーチャを画成する、請求項１記載の微細複製シェービング要素。
【請求項１０】
前記少なくとも一つのアパーチャがシェービング動作中に蓄積された剃り屑の洗浄を可能にするため複数のアパーチャを含む、請求項９記載の微細複製シェービング要素。
【発明の詳細な説明】
【技術分野】
【０００１】
本発明は、一般に皮膚から毛を剃るため利用される装置に係わり、特に、ガード要素が隣接させられた複数の離散的な外方へ突出するシェービング要素を有するシェービング表面に関する。
【背景技術】
【０００２】
従来、皮膚から毛を除去するため使用される剃刀は各刃が単一の縦方向に研がれたエッジを有する１枚以上の別個の刃を利用した。これらの刃は、使用者の皮膚を切るか、そうでなくてもシェービング動作中に不快感を生じさせる傾向がある。これらの刃の刃先が露出しているために生じる危険性を最小限に抑えるため、ガードが剃刀構造に組み入られている。ガードは、一般的に切れないエッジ、多くの場合に丸みを帯びたエッジであって、剃刀刃の刃先の側を過ぎて突出するエッジを含む。ガードは、通常、使用者の皮膚から突出する毛が刃によってカットされる前に、使用者の皮膚を伸ばす役割を果たす。複数刃剃刀の場合、ガードは、使用者の皮膚が刃と刃の間に突き出て、カットされる可能性を防止するため、刃のペアの間に位置決めすることが可能である。
【０００３】
シェービング動作中に上記の剃刀が使用者の皮膚をカットする傾向に加えて、刃は剃刀製造中に取り扱いの問題を引き起こす。縦方向の刃先は、慎重な、多くの場合に時間のかかる取り扱いを必要とすると共に、希望のエッジを実現するために大量の処理を必要とする。
【０００４】
上記の刃を使用するシェービングに関連した別の問題は、それによって毛の切れ目が鋭い切り口を有する傾向があることである。このため、短く剃り込むと粗い感触になる。
【発明の開示】
【発明が解決しようとする課題】
【０００５】
以上の点に鑑みて、本発明の一般的な目的は、従来技術の問題及び欠点を解決するシェービング構造体を提供することである。
【課題を解決するための手段】
【０００６】
本発明は、表面を画成する基材を有し、複数の微細シェービング要素がその表面から延びる、微細複製シェービングである。これらの微細シェービング要素のそれぞれは、表面から離された刃先を画成する。複数の別個のガード要素は、基材表面に取り付けられ、基材表面から外方へ延びる。好ましくは、ガード要素のそれぞれは、シェービング動作中に使用者の皮膚を拘束する非平面状遠心端を有し、これによって、より快適なシェービング感が得られるという効果がある。
【０００７】
本発明の好ましい実施例において、ガード要素は、隣接した微細シェービング要素の間に形成された隙間に位置決めされる。さらに、洗浄液貫通孔の形のアパーチャが基材を通り抜けて延在し、剃り屑を微細複製シェービング要素から取り除くことを可能にさせる。
【０００８】
本発明の一実施例において、ガード要素の非平面状遠心端の少なくとも一部分は、シェービング動作中にガード要素から施与され得るシェービング補助部を含む。シェービング補助部を含むガード要素はシェービング補助部を含浸させることが可能であり、又は、ガード要素はシェービング補助部を保持、施与するため適合したアパーチャを画成してもよい。
【発明の効果】
【０００９】
本発明の効果は、複数の微細シェービング要素がシェービング動作中に擦り切れた毛先を作り、これにより、より滑らかな剃り込み感触が得られることである。
【００１０】
本発明のもう一つの効果は、縦方向の刃先を有する剃刀刃に特有の取り扱いの困難さが本発明によって見られなくなることである。
【発明を実施するための最良の形態】
【００１１】
図１に示されるように、微細複製シェービング要素の一実施例は、全体的に参照番号１０によって表され、複数の微細シェービング要素１４を有する基材１２を含み、微細シェービング要素は基材１２の表面１６から縦方向に延びる。各微細シェービング要素１４は基材表面１６から離された刃先１８を画成する。微細複製シェービング要素に取り付けられるのは複数のガード要素２０である。各ガード要素２０は、刃先１８に隣接して位置決めされ、好ましくは、隣接した微細シェービング要素間に画成された隙間に位置する。各ガード要素２０は、シェービング動作中に使用者の皮膚を拘束するため適合し、皮膚が隣接した刃先間から突き出ること、及び、使用者がカットされる危険性の増加を防止する。
【００１２】
再度図１を参照すると、洗剤貫通孔の形のアパーチャ２１は表面１６から基材１２を通り抜けて延びる。洗剤貫通孔２１の断面は、用途に依存し、孔の個数及び配置にも依存する。したがって、図１に表された洗剤貫通孔の個数及び位置は単なる例示であり、限定的な意味で解釈されるべきでない。
【００１３】
図２に示されるように、各微細シェービング要素１４は、基材１２の表面１６から延在し、刃先１８を画成する切り込み部２４に取り付けられた柱状部２２を含む。例示された実施例において、刃先は円形切り込み部の周りで連続するように表されている。しかし、本発明はこの点に関して限定されることがなく、その理由は、刃２４が三角形、さらには角柱のようなどのような形状でも構わないからである。刃先１８が切り込み部の周囲の周りで３６０度全体に広がることも不可欠ではない。刃先１８はどのような円弧部でも表現可能であり、不連続でも構わない。
【００１４】
ガード要素２０は基材表面１４から外方へ延びる。図示されたガード要素２０は、ほぼ円筒型であり、非平面凸状遠心端２８を有する。しかし、本発明はこの点に関して限定されることがなく、その理由は、遠心端２８がどのような形状でも構わないからである。刃先１８に相対的な遠心端２８の精密な位置決めは可変であり、図示された実施例では、刃先１８とほぼ同じ高さにされている。ガード要素２０は、微細シェービング要素１８の繰り返しパターンに類似した繰り返しパターンで位置決めされる。しかし、本発明はこの点に関して限定されることがなく、その理由は、非繰り返しパターンや全く繰り返しのないパターンもまた本発明によって考慮されるからである。
【００１５】
本発明の微細複製シェービング要素は多様な方法で製造可能であるが、一つの方法は超小型電子製造技術を利用することによって行われる。一つの実現可能なステップのシーケンスは、約０．０５ｍｍ乃至２ｍｍの厚さを有し、好ましくは、約０．１ｍｍ乃至０．５ｍｍの厚さを有するポリイミド、ポリエーテルエーテルケトン（ＰＥＥＫ）、又は、その他の可撓性材料で始まる。
【００１６】
一つ以上の別の膜が次に基材に堆積される。これらの別の膜は、タングステン、窒化タンタル、窒化ホウ素、ダイヤモンド、又は、任意の他の望ましい刃及び／又はガード要素材料を含有する。一つ以上の堆積膜の厚さは、約１０乃至１０００ミクロンにすべきであり、好ましくは、約１００乃至３００ミクロンである。基材上の構造体は、フォトリソグラフィ技術を用いてパターニングされた膜を選択的にエッチングすることにより獲得される。エッチング技術には、イオンミリング、スパッタリング、反応性イオンエッチング、及び、電子サイクロトン共鳴が含まれる。エッチングの分野の当業者が認めるように、基材と、基材に取り付けられた膜は、望ましい構造体を獲得するため、特別に位置決めされる必要がある。
【００１７】
本発明は、そのある特定の好ましい実施例を参照してかなり詳細に説明されているが、その他の実施例を考えることが可能である。したがって、本発明の権利範囲は本明細書に記載された好ましい実施例の説明に限定されるべきではない。
【図面の簡単な説明】
【００１８】
【図１】本発明の一実施例の平面図である。
【図２】図１の実施例の線２−２による正面図である。
【図１】
2005537829.tif 000003
【図２】
2005537829.tif 000004
【国際調査報告】
2005537829.tif 000005